(57)【特許請求の範囲】
【請求項１】
電柱に植設された足場ボルトに掛止して該電柱の外周面に巻装される屈曲自在な締付紐状体と、前記締付紐状体に着脱自在に取着され前記電柱に登るとき足を載せる複数の足掛部材とからなり、
前記締付紐状体は所定長さのロープであって、前記足掛部材は前記電柱の外周面に配置される基板部と該基板部に開閉自在に軸着されるカバー板部からなり、前記基板部の外側面とカバー板部の内側面との間に前記ロープに対し前記足掛部材がずれないように該ロープを挟着するずれ止め防止手段を設けたことを特徴とする昇柱用の簡易梯子。
【請求項２】
電柱に植設された足場ボルトに掛止して該電柱の外周面に巻装される屈曲自在な締付紐状体と、前記締付紐状体に着脱自在に取着され前記電柱に登るとき足を載せる複数の足掛部材とからなり、
前記締付紐状体は所定長さの縦バンドとその長手方向に沿って所定の間隔離しかつ交差するようにして固着される複数本の横バンドとからなり、前記各横バンドには前記電柱の外周面に巻回したとき係脱自在に係合する連結手段を設け、前記各足掛部材には前記各横バンドが挿通される挿通孔を開設したことを特徴とする昇柱用の簡易梯子。
【発明の詳細な説明】
【技術分野】
【０００１】
本発明は、地震、風水害等の災害時に電力供給のための復旧作業に際して使用される昇柱用の簡易梯子に関するものである。
【背景技術】
【０００２】
従来、電気電話工事等に際し作業者が地面から電柱に登るためには、電柱の外周面に植設され下端部にある足場ボルトまで届くように該電柱に格子状の梯子を立て掛け、この梯子から前記足場ボルトに移るようにして登っている（例えば、特許文献１参照。）。
【０００３】
【特許文献１】特開平１１−６３３０号公報（第２〜３頁、図１）
【発明の開示】
【発明が解決しようとする課題】
【０００４】
しかしながら、電柱に植設された足場ボルトの内、下端部にある足場ボルトは通常地面からほぼ２ｍの高さ位置にあり、そこまで届かせる必要があることから、前記梯子はその全長が２〜２．５ｍ程度の長さになり比較的大型となる。しかも、前記梯子は金属製であって重量が嵩む。一方、地震、風水害等の災害時に停電が発生して各家等の消費者への電力供給がストップした場合、柱上の復旧作業をするために目的地へ向かうことになるが、目的地までは家屋の崩壊、浸水などにより道路が遮断されて徒歩または自転車といった手段しかないのがほとんどである。このような場合、前記大型で重量の嵩む梯子を作業者が肩に背負ったり自転車の荷台に載せてゆくことは、多くの労力を必要とし楽ではないばかりか、危険性を伴うといった課題がある。
【０００５】
また、前記梯子は大型であることから、その収納・保管にも多くのスペースが必要になり、取り扱いが面倒になるといった課題もある。
【０００６】
そこで、本発明は上記課題を解決すべくなされたもので、コンパクトにまとめてバッグに収容でき、携行が労力を必要とせず楽で安全性も高められ、しかも、保管にも場所を取らず取り扱い易い昇柱用の簡易梯子を提供することを目的とするものである。
【課題を解決するための手段】
【０００７】
かかる目的を達成するため、本発明に係る昇柱用の簡易梯子は、電柱に植設された足場ボルトに掛止して該電柱の外周面に巻装される屈曲自在な締付紐状体と、該締付紐状体に着脱自在に取着され前記電柱に登るとき足を載せる複数の足掛部材とからなる。
【０００８】
具体的には、本発明に係る昇柱用の簡易梯子は、前記締付紐状体が所定長さのロープであって、前記足掛部材は前記電柱の外周面に配置される基板部と該基板部に開閉自在に軸着されるカバー板部からなり、前記基板部の外側面とカバー板部の内側面との間に前記ロープに対し足掛部材がずれないように該ロープを挟着するずれ止め防止手段を設けた構成が採られる。ロープは合成樹脂製であってその長さはほぼ８．５ｍであり、足掛部材は硬質の合成樹脂材により成形することが好ましい。
【０００９】
または、本発明に係る昇柱用の簡易梯子は、例えば前記締付紐状体が所定長さの縦バンドとその長手方向に沿って所定の間隔離しかつ交差するようにして固着される複数本の横バンドとからなり、該各横バンドには前記電柱の外周面に巻回したとき係脱自在に係合する連結手段を設け、前記各足掛部材には各横バンドが挿通される挿通孔を開設した構成が採られる。この縦バンド、横バンドはいずれも屈曲自在であって強靭な軟質の合成樹脂材から成形し、足掛部材は、硬質の合成樹脂材から成形することが好ましい。また、縦バンドは通常１．５〜２ｍ位の長さを有し、横バンドは１．３〜１．５ｍ位であって三ないし四本が好ましい。また、足掛部材を横バンドに対して移動自在に設けるようにすれば、使い勝手が良くなる。
【発明の効果】
【００１０】
本発明に係る昇柱用の簡易梯子は、締付紐状体が屈曲自在であり、かつ足掛部材が締付紐状体に着脱自在に取着されるので、これら締付紐状体や足掛部材がコンパクトにまとめられ例えばバッグに収納でき、携行が労力を必要とせず楽でありしかも安全性が高く、災害復旧作業に便利であるという有益な効果を奏する。特に、締付紐状体を引っ張りに強い合成樹脂材から成形すると共に足掛部材を硬質の合成樹脂材から成形するようにすれば、全体に軽量化が図られ手で持ち歩いたり背負ったりして携行するに一層楽である。
【００１１】
また、本発明に係る昇柱用の簡易梯子は、コンパクトになってバッグに収納できることから、保管にも場所を取らず便利である。
【発明を実施するための最良の形態】
【００１２】
以下、本発明に係る昇柱用の簡易梯子の実施の形態を図面と共に説明する。図１は第一実施の形態に係る昇柱用の簡易梯子（以下、単に「第一簡易梯子」という。）を分解して示す斜視図である。この第一簡易梯子Ａ１は、後記する電柱Ｄに植設された下端部にある足場ボルトＢに掛止して該電柱Ｄの外周面に巻装される屈曲自在な締付紐状体としてのロープ１と、該締付紐状体１に着脱自在に取着され前記電柱Ｄに登るとき足を載せる４個の足掛部材２とからなる。図中、３は使用・収納に便利なように前記ロープ１を巻回するためのロープ巻取り器であり、Ｇはこれらロープ１、４個の足掛部材２およびロープ巻取り器３を収納するためのバッグである。なお、本発明における締付紐状体とは、前記ロープ１、後記する縦バンド３０及び横バンド３１を含むものを意味する。
【００１３】
前記ロープ１は、例えばアラミド繊維糸を撚った芯をポリエステル樹脂で被覆した二重構造をしており、８．５ｍの長さを有する。ロープ１の一端側にラチェット機構を備えた引き留め具５が取着される。詳しい説明は省略するが、該引き留め具５は、ロープ１の一端１ａを差し込み、折り返されるその一端１ａを引き出すようになっている。そして、該一端１ａを引くことによりロープ１はその方向へ順次進むが、逆にロープ１を戻そうとしてもラチェット機構を解除しない限りその位置から動かない構成からなる。また、引き留め具５の先端にはフック６が取着される。
【００１４】
前記各足掛部材２は例えばＰＣアロイまたはＡＥＳ樹脂により成形され、軽量でありかつ硬い材質が選ばれる。そして、この足掛部材２は、電柱Ｄの外周面に配置される基板部７ａと、該基板部７ａに上端部で軸着８され自在に開閉するカバー板部７ｂと、からなる。図２乃至図５に示すように、基板部７ａとカバー板部７ｂとは、いずれも平断面コ字型をなすと共に縦長に成形され、縦方向を電柱Ｄの上下方向に沿わせて基板部７ａの開放側を電柱Ｄの外周面に当接するようにしている。
【００１５】
また、前記基板部７ａの外側面とカバー板部７ｂの内側面との間に、前記ロープ１に対し各足掛部材２がずれないように該ロープ１を挟着するずれ止め防止手段が設けられる。すなわち、基板部７ａの外側面に、上端がその両側縁で開放しかつ下端が下側縁で開放する左右線対称のずれ止め防止手段としてのロープ溝９，９が設けられている。これらロープ溝９，９は、その溝の横断面が略台形に成形され、底面に進むに従い両側面が漸次窄まりロープ１を噛み込み易いようにしている。しかも、各ロープ溝９，９は、略くの字状に屈曲すると共に底面を含め内側面全体にその長手方向と直交するノコギリ歯状のずれ止め防止手段としての滑り防止面１０が形成される。また、各ロープ溝９，９の底面の適宜位置には盛り上がるずれ止め防止手段としての凸状部１１が複数設けられる。基板部７ａの外側面下部に突部１２が設けられ、該突部１２に係止孔１３が貫設されている。
【００１６】
一方、カバー板部７ｂには、その外側面に電柱Ｄに登るとき足を載せるための足載部１４が略垂直に突設している。また、この足載部１４の先端部には、足が該足載部１４の上面から外側へ滑って踏み外さないようにするための停止部１５が一体に設けられる。カバー板部７ｂの内側面に、前記各ロープ溝９，９に対向位置して該各ロープ溝９，９に嵌入し、その中に挿通されるロープ１をロープ溝９内に押し付けるずれ止め防止手段としての一対の押し止め片１６，１６が突設される。これら押し止め片１６，１６も外周面にその長手方向と直交するノコギリ歯状のずれ止め防止手段としての滑り防止面１７が成形される。更に、両押し止め片１６，１６に前記両ロープ溝９，９内の各凸状部１１に対応位置してカバー板部７ｂが基板部７ａに重ねられたとき該各凸状部１１が嵌るずれ止め防止手段としての凹窪部１８が設けられる。カバー板部７ｂの下部には側面略Ｖ字型をなし弾性を有する係止片１９が設けられ、その外側面に前記係止孔１３に係止し得る爪部２０が突設される。
【００１７】
前記基板部７ａにおける電柱Ｄの外周面が接触する部位とカバー板部７ｂにおける足載部１４の上面部位には、それぞれ滑り止め部材２１ａ，２１ｂが接着される。基板部７ａにおける電柱Ｄの外周面が接触する部位の滑り止め部材２１ａは軟質の合成樹脂材からなり、また、カバー板部７ｂにおける足載部１４部位の滑り止め部材２１ｂは、薄いアルミ板の表面に接着剤を塗布すると共にその上面に砥粒をまぶし固着して形成される。
【００１８】
前記ロープ巻取り器３は地面に設置される基板２２を有し、その一側に支持板２３が立設され、該支持板２３にロープ１を巻き取るリール２４が回転自在に軸着されている。２５はリール２４の一側に取着され該リール２４を回転させるためのハンドルである。また、前記基板２２の一側に、足を載せ地面上にロープ巻取り器３を固定するための足踏み板２６が折り曲げ自在に連接されている。
【００１９】
本発明に係る第一簡易梯子Ａ１は上記構成からなり、次にその使用方法について説明する。通常、前記ロープ１はロープ巻取り器３に巻き取られ、これと４個の足掛部材２をセットとしてバツグＧに収納して保管される。そして、地震、風水害等の災害時に電力供給のための復旧作業に際して目的地まで徒歩または自転車で向かう場合、前記ロープ１等が収納されるバッグＧを携行する。このように第一簡易梯子Ａ１はコンパクトにまとめられバッグＧに収納されるので、軽量であって携行が楽であり、しかも安全である。特に、ロープ１や足掛部材２が合成樹脂材から成形されるので、全体に軽量化が図られて手で持ち歩いたり背負ったりして携行するに一層楽である。
【００２０】
そこで、電気電話工事等の復旧作業をするため第一簡易梯子Ａ１を電柱Ｄに取り付けるには、まず、ロープ巻取り器３からロープ１を外し、図６に示すようにそのほぼ中間位置を電柱Ｄの最下部にある足場ボルトＢに掛け、ロープ１の両側の２本を電柱Ｄの反対側へ回す。次に、足場ボルトＢの反対側であって該足場ボルトＢより下方へほぼ５０ｃｍ下がった位置の電柱Ｄの外周面に、足掛部材２を配置すると共にその軸着部８を上にして基板部７ａの内側面を前記外周面に当接する。この状態で、図７に示すようにカバー板部７ｂを開き、各ロープ１を各ロープ溝９に張った状態で嵌め込む。
【００２１】
各ロープ溝９に２本のロープ１を嵌め込んだ後に、図８、図１０に示すようにカバー板部７ｂを基板部７ａの外側面に重ねて押圧する。これにより、係止孔１３に係止片１９の爪部２０が係合し、カバー板部７ｂが閉じられると共に各ロープ溝９内に各押し止め片１６が嵌り込む。この状態では、各ロープ溝９，９の両側面が底面に進むに従い漸次窄まるようになっているので、図１１に示すように各ロープ１が各ロープ溝９内の底面側へ押し込まれて各ロープ溝９の両側面から押され、各ロープ溝９の内側面の滑り防止面１０と各押し止め片１６外周面の滑り防止面１７とにより強く挟着されることになる。しかも、各ロープ１は各ロープ溝９自体の屈曲部及び凸状部１１と該凸状部１１に嵌る凹窪部１８により、三次元的に屈曲される。また、このとき各足載部１４の上面はほぼ水平に位置する。
【００２２】
同様にして、前記足掛部材２より下側の二本のロープ１を足場ボルトＢ側へ回して戻す。そして、電柱Ｄの外周面であって該足掛部材２より５０ｃｍ下がった位置に次の足掛部材２を配置して固定する。以後同様にして、２個の足掛部材２，２を電柱Ｄの外周面に左右交互に位置するようにして配置固定する。最下端に位置する足掛部材２より下がる２本のロープ１もその反対側へ回す。最後に、図９に示すように引き留め具５が取着されてないロープ１の一端部に環状部２７を作り、該環状部２７に他端部の引き留め具５のフック６を掛け止し、引き留め具５から引き出されるロープ１の自由端部を引くことによりロープ１をしっかりと張設する。これにより、図１２に示すように第一簡易梯子Ａ１の取付けが完了する。
【００２３】
そこで、作業者は、各足掛部材２に下から足を掛けて下端部にある足場ボルトＢまで登り、更にその上に登って復旧作業を行なう。この際、各足掛部材２に足を掛けることにより各押し止め片１６が各ロープ溝９に深く嵌り込み、各滑り防止面１０，１７が各ロープ１の外周面にしっかりと食い込んで、ロープ１に対する足掛部材２のずれが確実に防止できるようになっている。作業が終れば、ロープ１を外すと共に各足掛部材２を取り外す。更に、ロープ１をロープ巻取り器３に巻き取るには、図１３に示すように足踏み板２６を広げた状態で該足踏み板２６と共に基板２２を地面上に設置し、足踏み板２６を足で上から踏むことによりロープ巻取り器３を地面に固定する。そして、ハンドル２５を握ってリール２４を回転させてロープ１を巻き取る。このようにして巻き取ったロープ１と前記各足掛部材２は再びバッグＧに収納して携行する。
【００２４】
図１４に示したロープ巻取り器３ａは他の実施の形態に係るものである。なお、この他の実施の形態に係るロープ巻取り器３ａは前記第一簡易梯子Ａ１で使用されたロープ巻取り器３と構成が一部共通するので、同一部位は同一番号を附すことにより詳しい説明は省略する。
【００２５】
すなわち、他の実施の形態に係るロープ巻取り器３ａは、縦長方形状の支持板２３の外側面にロープ１を巻き取るリール２４が回転自在に軸着されている。該リール２４の一側にはハンドル２５が取着される。また、支持板２３の両側縁に該支持板２３に対しリール２４とは反対側へ斜めに折曲する保持片５０，５０が一体に設けられ、該各保持片５０には固定バンド５２を挿通する縦長孔５１が開設される。固定バンド５２は、電柱Ｄに巻回することにより前記ロープ巻取り器３ａを電柱Ｄの外周面に固定するものであって、一端に他端を挿通して締め止めするための連結手段としての締止具５３が設けられている。
【００２６】
前記支持板２３の上端縁にヒンジ部５４を介して回動板５５が連接され、該回動板５５が支持板２３に対して自在に折り曲げられるようになっている。そして、その一側面（外面）の両側に、それぞれ一対のラチエット５６，５６とロープ掛環５７が座板６０を介して配設されている。一対のラチエット５６，５６は、座板６０すなわち回動板５５面に沿って回動するように軸着５８されると共に互いに逆方向へ回動するように付勢されている。また、両ラチエット５６，５６における軸着部５８から先端までの寸法は、両ラチエット５６，５６の軸着部５８，５８間の寸法の２分の１の寸法よりも長く設定されている。これにより、両ラチエット５６，５６は、常態では互いに先端部が当接したまま停止している。
【００２７】
前記各ラチエット５６の当接面には鋸歯状の噛合部５９，５９が設けられる。そして、その間に挟着されたロープ１は、一方向へは移動するがラチエット５６の長さ関係と両噛合部５９，５９が互いに噛み込むこととによってその逆方向へは移動し得ないようになっている。これにより、ロープ１が電柱Ｄの外周面に強く巻かれることになる。両側の一対のラチエット５６，５６の近傍にそれぞれ位置するロープ掛環５７ａ，５７ｂは略半円形状をなし、それら両端部が座板６０に固着されると共に中央部には切断部６５が開設されている。そこで、その切断部６５からロープ１を各ロープ掛環５７ａ，５７ｂに掛止又は取外しできるようになる。
【００２８】
ロープ１には該ロープ１に沿って自在に摺動する引掛け環６１が取着される。該引掛け環６１は、先端部にリング状部６２が設けられ、そのリング状部６２の一部が切除されている。そして、その切除部に自在に回動すると共に常に該切除部を塞ぐように付勢する封止杆６３が軸着されている。これは、作業終了後に前記リール２４にロープ１を巻回した際に、ロープ１が解けて乱雑にならないようロープ１を巻回した状態で引掛け環６１をリール２４の側端部のフランジ２４ａに開設された複数の透孔６４に掛止するためのものである。
【００２９】
次に、他の実施の形態に係るロープ巻取り器３ａの使用方法を説明する。このロープ巻取り器３ａにあっては、一本のロープ１を二つに折り両端部側を前記リール２４に巻回して使用される。
【００３０】
そこで、まず、図１５に示すように足場ボルトＢとは反対側であって電柱Ｄの下端部にロープ巻取り器３ａを配置し、固定バンド５２を電柱Ｄの外周面に巻回してその一端を締止具５３に挿通すると共に引き締めることにより、ロープ巻取り器３ａが電柱Ｄの外周面に固定される。そして、ロープ巻取り器３ａのリール２４から二つ折りされたロープ１を所定の長さ引き出し、その二つ折り部を前記足場ボルトＢに掛ける。この際、リール２４から引出されたロープ１は、その一方のロープ１０１が切断部６５を介して一方のロープ掛環５７ａに挿通され、これと同じ側から電柱Ｄの外周を回して足場ボルトＢに掛ける。ロープ１は余裕が持てるように十分引き出しておくことが好ましい。
【００３１】
以後は、図１６に示すように前記第一簡易梯子Ａ１と同様に４個の足掛部材２を電柱Ｄの外周面であって所定の位置に配置すると共に各両側のロープ１を各足掛部材２のロープ溝９に張った状態で嵌め込む。各ロープ溝９に２本のロープ１を嵌め込んだ後に、カバー板部７ｂを基板部７ａの外側面に重ねて押圧する。このようにして、電柱Ｄの外周面にそれぞれ５０ｃｍずつ下がってかつ左右交互に位置させて各足掛部材２が配置して固定される。
【００３２】
図１７に示すように最下端に位置する足掛部材２から下がる２本のロープ１の内、一方のロープ掛環５７ａに挿通される一方のロープ１０１は、同じ側の一対のラチエット５６，５６間に介入させて掛止する。他方のロープ１０２は、電柱Ｄの反対側へ回して他方のロープ掛環５７ｂにその切断部６５から挿通させると共に同様に同じ側の一対のラチエット５６，５６間に介入させて掛止する。なお、リール２４から引き出したロープ１の内の余分な部分は、リール２４を巻くことにより収納させる。このようにして、両一対のラチエット５６，５６に両ロープ１０１，１０２を掛止した状態で、それぞれのロープ１０１，１０２を引き締めてしっかりと張設する。これにより、第一簡易梯子Ａ１の取付けが完了する。
【００３３】
この場合も、作業者は、前記と同様に各足掛部材２に下から足を掛けて下端部にある足場ボルトＢまで登り、更に、その上に登って復旧作業を行なうことができる。この際、各足掛部材２に足を掛けることにより各押し止め片１６が各ロープ溝９に深く嵌り込み、各滑り防止面１０，１７が各ロープ１の外周面にしっかりと食い込んで、ロープ１に対する足掛部材２のずれが確実に防止できるようになっている。作業が終れば、両一対のラチエット５６，５６からロープ１（１０１，１０２）を外しロープ１を緩めると共に各足掛部材２を取り外す。
【００３４】
そして、ロープ１をロープ巻取り器３ａに巻き取り、巻き取り終わったらその引掛け環６１をリール２４におけるフランジ２４ａの透孔６４に掛止して緩みを防いでおく。また、固定バンド５２を外してロープ巻取り器３ａを電柱Ｄから外す。更に、回動板５５を支持板２３に対して折り曲げる。これにより、不使用時にロープ巻取り器３ａがコンパクトにできバッグＧに収納し易くなる。巻き取ったロープ１と前記各足掛部材２は再びバッグＧに収納して携行する。
【００３５】
他の実施の形態に係るロープ巻取り器３ａにあっては、該ロープ巻取り器３ａを電柱Ｄの外周面に取り付けて作業でき、しかも、リール２４にロープ１があらかじめ二つ折りした状態で巻回されているので、ロープ１の引き出し作業が容易になるばかりか取り扱い易く、作業性が向上する。
【００３６】
次に、第二実施の形態に係る昇柱用の簡易梯子（以下、単に「第二簡易梯子」という。）について説明する。図１８は第二簡易梯子の展開斜視図である。この第二簡易梯子Ａ２は、例えば締付紐状体としての縦バンド３０と同じく締付紐状体としての三本の横バンド３１とを有する。これら縦バンド３０と横バンド３１は、いずれも屈曲自在な軟質の合成樹脂材から成形され、縦バンド３０は所定長さ、例えば１．５ｍ位の長さを有し、各横バンド３１は電柱Ｄの外周面に巻回できる長さ、例えば１．３ｍ位の長さを有する。また、前記各横バンド３１は、前記縦バンド３０にその長手方向に沿って所定の間隔、例えば５０〜６０ｃｍ、離して直角に交差するように固着される。
【００３７】
前記縦バンド３０の上端部に、電柱Ｄの最下部にある足場ボルトＢに掛止するための掛止部３２が取着される。この掛止部３２は金属製のＤ型環からなり、前記縦バンド３０上端部の筒状部３０ａに挿通されている。なお、掛止部３２の形状は、前記Ｄ型環に限られることはなく、足場ボルトＢに簡単に外れないように掛止できるものであれば、例えば鉤状のフックであっても良い。
【００３８】
各横バンド３１の一端には、他端を挿通して前記電柱Ｄの外周面に巻締めできる連結手段としての締止具３４が設けられる。この締止具３４は、金属製からなり、図２３に示すように枠体３４ａの基端側であって両側板３４ｂ，３４ｂ間に差し渡された横杆３５ａを横バンド３１の一端の筒上部３１ａに挿通して取付けられる。そして、先端側であって前記両側板３４ｂ，３４ｂ間に差し渡された横杆３５ｂと所定の間隔離してその内側に平行に設けられる軸杆３６に、係合片３７が回動自在に軸支される。この係合片３７はねじりバネ３８により常に先端の横杆３５ｂ側へ回動付勢されている。前記係合片３７と先端の横杆３５ｂとの対向面には、ねじりバネ３８により係合片３７が付勢され回動したとき、互いに噛み合う噛合部３９，３９が設けられる。
【００３９】
そして、係合片３７をねじりバネ３８の弾性に抗して回動させ、枠体３４ａの内側から前記係合片３７と先端の横杆３５ｂとの間の隙間に横バンド３１の一端部を差し込み、そのまま外側へ引き出す。この状態で、係合片３７を自由にする。これにより、係合片３７と先端の横杆３５ｂとの噛合部３９間で横バンド３１が挟着される。この場合、横バンド３１は、枠体３４ａの外側へ引き出すことはできるが、枠体３４ａの内側へは噛合部３９，３９が強く噛み合って引き込むことができないようになっている。
【００４０】
４０は前記各横バンド３１に着脱自在に取着され足を載せる足掛部材であり、硬質の合成樹脂材から成形される。この足掛部材４０は、図１９、図２２に示すように電柱Ｄの外周面に密着できるように当接する湾曲した鉛直な押当板部４０ａと、この押当板部４０ａの上端縁から延設され足を載せる水平な足載板部４０ｂと、前記押当板部４０ａの両側縁と足載板部４０ｂの両側縁との間に張設される左右の側板部４０ｃ，４０ｃと、から構成されている。
【００４１】
前記足載板部４０ｂの上面と左右両側板部４０ｃ，４０ｃの上縁部にかけて滑り止用の凹凸面４１が成形され、足載板部４０ｂの先端縁には足が足載板部４０ｂの上面から外側へ滑って踏み外さないようにするための停止部４２が上方へ突設されている。また、前記左右の側板部４０ｃ，４０ｃには、押当板部４０ａ側に位置して前記横バンド３１が挿通される縦長状の挿通孔４３，４３が開設されている。これにより、足掛部材４０が横バンド３１に沿って自在に移動できることになる。
【００４２】
本発明に係る第二簡易梯子Ａ２は上記構成からなり、縦バンド３０、各横バンド３１が屈曲自在であることから、図２０に示すようにこれらを折り畳んでコンパクトにまとめられ、第二簡易梯子Ａ２をバッグＧに収容して保管される。そして、同様に地震、風水害等の災害時に電力供給のための復旧作業に際して目的地まで徒歩または自転車で向かう場合、前記縦バンド３０、横バンド３１等が収納されるバッグＧを携行する。このように第二簡易梯子Ａ２もコンパクトにまとめられバッグＧに収納されるので、軽量であって携行が楽であり、しかも安全である。特に、縦バンド３０、横バンド３１及び各足掛部材４０が合成樹脂材から成形されるので、全体の軽量化が図られ手で持ち歩いたり背負ったりして携行するに一層楽である。
【００４３】
そこで、復旧作業にあたっては、第二簡易梯子Ａ２をバッグＧ内に収容し、このバッグＧを手に持って目的地へ徒歩または自転車で向かう。目的地に着いた後、バッグＧから第二簡易梯子Ａ２を取り出して、図２１に示すように縦バンド３０上端の掛止部３２を電柱Ｄの最下部にある足場ボルトＢに掛止する。この時、縦バンド３０が電柱Ｄの外周面であって長手方向に沿ってほぼ鉛直に垂れ下がる。
【００４４】
この状態で、横バンド３１を上から順番に電柱Ｄの外周面に巻回し、図２２に示すように足掛部材４０の押当板部４０ａを電柱Ｄの外周面に押し当て固定させる。また、図２３に示すように前記横バンド３１の一端を締止具３４の内側から係合片３７と先端の横杆３５ｂとの間の隙間に差し込みそのまま外側へ引き出す。これにより、噛合部３９，３９間で横バンド３１が挟着される。この場合、電柱Ｄの外周面に対する横バンド３１の巻締力が弱いときは、前記締止具３４から外側へ出ている横バンド３１を更にきつく引っ張る。二番目と三番目の横バンド３１についても同様にして巻締する。各足掛部材４０は上から順に左右交互に配置して登り易くする。
【００４５】
このようにして、図２４に示すように第二簡易梯子Ａ２の取付が完了する。この際、縦バンド３０により第二簡易梯子Ａ２の位置決めと安定化が図られ、各横バンド３１により各足掛部材４０がしっかりと固定される。各足掛部材４０間の上下方向の間隔は５０〜６０ｃｍ位であり、最下端の足掛部材４０と地表面との間隔も５０〜６０ｃｍ位になる。この状態で作業者は、各足掛部材４０に下から順に足を載せて登り、足場ボルトＢに移って更に電柱Ｄをよじ登り、柱上作業を行なう。柱上作業が終了すれば、電柱Ｄを降りて各締止具３４から各横バンド３１を外し、更に、前記足場ボルトＢから掛止部３２を外す。そして、バッグＧに第二簡易梯子Ａ２を収納する。
【００４６】
この実施の形態においては、前記縦バンド３０、横バンド３１を合成樹脂材により成形したが、屈曲自在であって軽量化が図られる素材であれば炭素繊維等の他の部材であっても良い。また、足掛部材４０についても硬質で軽量化が図られる素材であれば、アルミニウム等の金属やセラミック等の他の部材であっても良い。また、前記両実施の形態におけるずれ止め防止手段及び連結手段はそれら構成に限定されるものではなく、他の構成を選択しても良いこと勿論である。
【図面の簡単な説明】
【００４７】
【図１】第一簡易梯子を分解して示す斜視図。
【図２】同足掛部材の前から見た斜視図。
【図３】同足掛部材の後から見た斜視図。
【図４】同カバー板部を開いた状態の足掛部材の斜視図。
【図５】同足掛部材の下から見た斜視図。
【図６】同取付手順を示す説明図。
【図７】同取付手順を示す説明図。
【図８】同取付手順を示す説明図。
【図９】同取付手順を示す説明図。
【図１０】図８のＸ−Ｘ線断面図。
【図１１】図８のＹ−Ｙ線断面図。
【図１２】第一簡易梯子を電柱に取付けた状態の斜視図。
【図１３】ロープ巻取り器の使用状態図。
【図１４】他の実施の形態に係るロープ巻取り器の斜視図。
【図１５】同取付手順を示す説明図。
【図１６】同取付手順を示す説明図。
【図１７】ロープ巻取り器部位の拡大正面図。
【図１８】第二簡易梯子の展開斜視図。
【図１９】同足掛部材部分の斜視図。
【図２０】同バッグに収納する状態を示す斜視図。
【図２１】同取付手順を示す説明図。
【図２２】同足掛部材部分の側面断面図。
【図２３】同締止具部分の平面断面図。
【図２４】同電柱に取付けた状態の斜視図。
【符号の説明】
【００４８】
１                      締付紐状体（ロープ）
２                      足掛部材
７ａ                    基板部
７ｂ                    カバー板部
９                      ずれ止め防止手段（ロープ溝）
１０                    ずれ止め防止手段（滑り防止面）
１１                    ずれ止め防止手段（凸状部）
１６                    ずれ止め防止手段（押し止め片）
１７                    ずれ止め防止手段（滑り防止面）
１８                    ずれ止め防止手段（凹窪部）
３０                    縦バンド
３１                    横バンド
３４                    連結手段（締止具）
４０                    足掛部材
４３                    挿通孔
Ａ１                    第一簡易梯子
Ａ２                    第二簡易梯子
Ｂ                      足場ボルト
Ｄ                      電柱
Ｇ                      バッグ
【図１】
0004711868.tif 000002
【図２】
0004711868.tif 000003
【図３】
0004711868.tif 000004
【図４】
0004711868.tif 000005
【図５】
0004711868.tif 000006
【図６】
0004711868.tif 000007
【図７】
0004711868.tif 000008
【図８】
0004711868.tif 000009
【図９】
0004711868.tif 000010
【図１０】
0004711868.tif 000011
【図１１】
0004711868.tif 000012
【図１２】
0004711868.tif 000013
【図１３】
0004711868.tif 000014
【図１４】
0004711868.tif 000015
【図１５】
0004711868.tif 000016
【図１６】
0004711868.tif 000017
【図１７】
0004711868.tif 000018
【図１８】
0004711868.tif 000019
【図１９】
0004711868.tif 000020
【図２０】
0004711868.tif 000021
【図２１】
0004711868.tif 000022
【図２２】
0004711868.tif 000023
【図２３】
0004711868.tif 000024
【図２４】
0004711868.tif 000025